(57)【要約】【課題】  商品等の費用の現金化のための業者側の負担を軽減することが可能な応募受付システム、方法、および専用応募用紙を提供する。【解決手段】  雑誌等の購入者は、各号に付与されたコード番号を取得し、そのコード番号を利用してＷＥＢサイト上で商品プレゼント等への応募を行う。ＷＥＢサイト側では、入力されたコード番号の照合を行った後、コード番号および応募者の情報を基にバーコード３ｄを作成し、応募者情報３ａ、応募券貼付欄３ｂ、３ｃを含む専用応募用紙ファイルを作成する。応募者の端末では、この専用応募用紙ファイルを取得してプリントアウトすることにより専用応募用紙を得て、実際の応募が完了する。【選択図】  図６
2005135038.tif 000002
【特許請求の範囲】
【請求項１】
発行された本の各号別に付加されたコードを利用して、商品取得のための応募を受け付けるシステムであって、
前記本の各号に付加したコードと同一のコードを記録した発行番号データベースと、
商品の送付先および費用の支払方法を記録する応募者データベースと、を有すると共に、
応募者端末から送信されてきた複数の各コードが、前記発行番号データベースに記録されているかどうかを照合する機能、送信されてきた各コードが発行番号データベースに記録されている場合に、応募者端末に、応募者情報入力画面、代金支払方法設定画面等の画面を提示するとともに、前記応募者情報入力画面で入力された情報に基づいてバーコードを作成し、当該バーコードを掲載した専用応募用紙ファイルを作成する応募受付サーバと、
を有することを特徴とする応募受付システム。
【請求項２】
応募者が利用する応募者端末と、当該応募者端末とネットワークを介して接続されたサーバコンピュータである応募受付サーバを利用して、応募の受付を行う方法であって、
発行された本の各号別に付加されたコードを前記応募者端末から送信する段階と、
前記送信されてきた各号別の複数のコードを前記応募受付サーバが受信する段階と、
前記受信した各号別のコードそれぞれが、あらかじめ各号別に設定された発行済みコードと一致するかどうかを照合する段階と、
前記照合の結果、全てのコードが一致する場合に、応募者情報入力画面、代金支払手続設定画面等の他の画面に移行するとともに、前記いずれかの画面で入力された情報に基づいてバーコードを作成し、当該バーコードを掲載した専用応募用紙ファイルを作成する段階と、
前記応募者端末が、前記応募受付サーバから送信されてきた専用応募用紙ファイルをプリントアウトして専用応募台紙を得る段階と、
を有することを特徴とする応募受付方法。
【請求項３】
応募者情報、代金支払済み情報を記録したバーコードが掲載されていると共に、応募権貼付欄が設けられていることを特徴とする専用応募台紙。
【発明の詳細な説明】
【技術分野】
【０００１】
本発明は、雑誌等の定期刊行物を利用して、各種キャンペーンを行うための技術に関する。
【背景技術】
【０００２】
従来より、商品の販売促進のため、購入者に景品を与える等のキャンペーンが行われている。最近では、インターネットを利用してキャンペーンの実施も行われてきている（例えば、特許文献１参照）。
【特許文献１】特開平２００２−１４０６００号公報
【０００３】
一方、出版社においては、雑誌の販売促進のため、雑誌購入者に対する応募者全員プレゼントキャンペーン等がふるくから行われている。全員にプレゼントする場合、その費用負担が膨大なものとなるため、応募者に費用の一部を負担してもらうことがある。この場合、応募者は、費用負担分に相当する額の切手を封筒に同封して、出版社に郵送することが一般的である。この応募切手は、出版社によって、郵便局で５％の手数料にて現金化されている。
【０００４】
このようなキャンペーンにおいては、市販されていない限定品がプレゼントされることが多く、雑誌購入の動機付けになっている。そのため、雑誌を購入した証明として、応募券等を雑誌に添付しており、応募者は、この応募券と費用負担用の切手を出版社に送付することになる。
【発明の開示】
【発明が解決しようとする課題】
【０００５】
しかしながら、上記切手の現金化のためには、同封分の切手の金額の確認や、現金化するために切手を台紙貼りすることが必要となり、出版社等の業者側の大きな負担となっている。
【０００６】
そこで、本発明は、上記のような商品等の費用の現金化のための業者側の負担を軽減することが可能な応募受付システム、方法、および専用応募用紙を提供することを課題とする。
【課題を解決するための手段】
【０００７】
上記課題を解決するため、本発明では、応募者が利用する応募者端末と、当該応募者端末とネットワークを介して接続されたサーバコンピュータである応募受付サーバを利用して、応募の受付を行う方法として、発行された本の各号別に付加されたコード番号を前記応募者端末から送信する段階と、前記送信されてきた各号別の複数のコード番号を前記応募受付サーバが受信する段階と、前記受信した各号別のコード番号それぞれが、あらかじめ各号別に設定された発行済みコードと一致するかどうかを照合する段階と、前記照合の結果、全てのコードが一致する場合に、応募者情報入力画面、代金支払手続設定画面等の他の画面に移行するとともに、前記いずれかの画面で入力された情報に基づいてバーコードを作成し、当該バーコードを掲載した専用応募用紙ファイルを作成する段階と、前記応募者端末が、前記応募受付サーバから送信されてきた専用応募用紙ファイルをプリントアウトして専用応募台紙を得る段階を実行するようにしたことを特徴とする。
【発明の効果】
【０００８】
本発明によれば、複数号の雑誌等に付加されたコードを利用して、応募受付サーバが、そのコードが発行済みのコードであるかどうかを照合し、入力されたコードが発行済みコードと一致する場合に、専用応募用紙ファイルを作成し、応募者端末で専用応募用紙を出力するようにしたので、この専用応募用紙で応募することにより、正当な雑誌等の購入者に対してのみ応募を受け付けることが可能となると共に、従来のように業者側が費用を現金化する負担をなくすことができるという効果を奏する。
【発明を実施するための最良の形態】
【０００９】
以下、本発明の好適な実施形態について、図面を参照して詳細に説明する。
（雑誌および応募台紙）
まず、本発明で利用する応募台紙について説明する。本実施形態では、定期的に発行される雑誌において、連続した２号で１回の応募が可能なキャンペーンについて説明する。図１は、応募台紙の一例を示す図であり、図１（ａ）は、１号に添付される応募台紙、図１（ｂ）は、２号に添付される応募台紙を示している。図１（ａ）に示すように、１号分の応募台紙１には、１号の応募券１ａが印刷されているとともに、応募券２号の貼付欄１ｂが印刷されている。また、応募券１ａには、応募券を特定するためのコード番号としてシリアルＮｏ．が印刷されているとともに、コード番号を隠すために、銀ペースト１ｃが塗布されている。また、図１（ｂ）に示すように、２号分の応募台紙２には、２号の応募券２ａが印刷されているとともに、応募券２号の貼付欄２ｂが印刷されている。また、応募券２ａには、応募券を特定するためのコード番号としてシリアルＮｏ．が印刷されているとともに、コード番号を隠すために、銀ペースト２ｃが塗布されている。図１（ａ）に示した１号分の応募台紙１は、１号の雑誌に綴じ込まれ、また、図１（ｂ）に示した２号分の応募台紙２は、２号の雑誌に綴じ込まれ、それぞれ販売される。なお、このような応募台紙の材質、銀ペーストの材質等は、従来周知のものを利用することができる。
【００１０】
雑誌１号、雑誌２号を共に購入し、応募券１ａ、応募券２ａを手に入れた購入者は、銀ペースト１ｃ、２ｃをそれぞれ削り、１号コード番号１ｄ、2号コード番号２ｄをそれぞれ出現させる。このときの状態を図２に示す。
【００１１】
図２に示した応募券に印刷されたコード番号を利用した応募について説明する。図３は、応募受付システムの一例を示す機能ブロック図である。図３において、１０は応募受付サーバ、２０は発行番号ＤＢ（データベース）、３０は応募者ＤＢ（データベース）、４０は応募者端末、５０はネットワークである。応募受付サーバ１０は、業者側が管理するサーバコンピュータであり、応募を受け付けるサイトを開設し、応募者端末４０と送受信を行うＷＥＢサーバとしての機能、発行番号ＤＢ２０、応募者ＤＢ３０を管理するデータベースサーバとしての機能を有している。
【００１２】
発行番号ＤＢ２０は、応募用のコード番号として発行したシリアルＮｏ．を記録したデータベースである。ここで、発行番号ＤＢ２０に記録された情報の一例を図４（ａ）に示す。図４（ａ）に示すように、発行番号ＤＢ２０には、各号ごとの発行済みのコード番号が全て記録されている。応募者ＤＢ３０は、応募の受付が正しく完了した各応募者についての詳細な情報を記録したデータベースである。ここで、応募者ＤＢ３０に記録された情報の一例を図４（ｂ）に示す。図４（ｂ）に示すように、応募者ＤＢ３０には、商品の送付先でもある応募者の住所、氏名、および一部負担費用の支払方法が記録されている。支払方法がクレジット決済またはプリペイド払いの場合には、クレジットカード、プリペイドカードの番号も記録されている。
【００１３】
応募者端末４０は、応募者が応募に利用する端末装置であり、パソコン等、インターネットにアクセス可能で、プリント出力機能を有する機器で実現される。ネットワーク５０は、応募受付サーバ１０と応募者端末４０を結ぶ通信回線であり、物理的には有線であっても無線であっても構わない。
【００１４】
図２に示したような応募券、および図３に示した応募受付システムを利用して応募を行う場合、まず、雑誌の購入者である応募者は、応募受付用のＷＥＢサイトにアクセスする。このＷＥＢサイトにアクセスするためのアドレスは、雑誌もしくは応募台紙１、２に印刷しておけば良い。購入者が、応募受付用のＷＥＢサイトにアクセスすると、応募受付サーバ１０は、図５に示すようなコード番号入力画面を、応募者端末４０に送信し、画面に表示させる。応募者は、１号コード番号入力欄に１号コード番号を、２号コード番号入力欄に２号コード番号をそれぞれ入力して、送信ボタンをクリックする。すると、入力された２つのコード番号は、応募受付サーバ１０に送信される。応募受付サーバ１０では、受信した２つのコード番号それぞれと、発行番号ＤＢ２０に記録された発行済みコード番号とを照合する。照合の結果、２つのコード番号のいずれか一方が、発行済みコード番号と一致しない場合は、応募を受け付けることができない旨の情報を応募者端末４０に送信し、画面上に表示させる。一方、２つのコード番号ともに発行済みコード番号と一致した場合には、応募者の住所、氏名を入力するための応募者情報入力画面を応募者端末４０に表示させる。例えば、図２に示したように、応募券１号のコード番号が「G2pTQyS471」、応募券２号のコード番号が「7HdX2RLN8S」である場合、図４（ａ）に示したように、発行番号ＤＢ２０にも、１号のコード番号として「G2pTQyS471」、２号のコード番号として「7HdX2RLN8S」が記録されているので、応募者情報入力画面が応募者端末４０に表示されることになる。
【００１５】
応募者情報入力画面に、応募者の住所、氏名等を入力した後、送信する旨の指示を与えると、応募者情報が応募受付サーバ１０に送信される。すると、応募受付サーバ１０は、支払い方法の設定画面を送信し、応募者端末４０に表示させる。本実施形態では、支払い方法として、「クレジットカード決済」「プリペイドカード払い」などのオンライン決済の他、「代金引換え」などが選択可能となっている。ここで、「代金引換え」を選択すると、送付先情報とともに応募受付サーバ１０に一時保存される。一方、「クレジットカード決済」を選択すると、クレジットカードＮｏ．の入力画面が表示され、クレジットカードＮｏ．を入力することになる。入力されたクレジットカードＮｏ．が応募受付サーバ１０に送信されると、応募受付サーバ１０は、クレジットカードＮｏ．を、応募者情報とともに一時保存する。また、「プリペイドカード払い」を選択した場合は、プリペイドカードＮｏ．の入力画面が表示され、プリペイドカードＮｏ．を入力することになる。この「プリペイドカードＮｏ．」とは、購入したプリペイドカードを特定するための番号である。入力されたプリペイドカードＮｏ．が応募受付サーバ１０に送信されると、応募受付サーバ１０は、プリペイドカードＮｏ．を、応募者情報とともに一時保存する。応募者が、応募決定ボタンをクリックすると、一時保存されていた応募者情報、支払い方法、カードＮｏ．等が記録される。記録された情報のうち、クレジットカードＮｏ．については、クレジット会社等に別途送信されて与信処理が行われる。
【００１６】
さらに、応募受付サーバ１０は、応募者情報を記載した専用応募用紙ファイルを作成する。ここで、作成される専用応募用紙の一例を図６に示す。専用応募用紙ファイルには、図６に示すような、専用応募用紙の出力イメージが記録されており、プリンタ等から出力すると、このまま専用応募用紙として出力されることになる。図６において、３は専用応募用紙、３ａは応募者情報、３ｂは応募券１号の貼付欄、３ｃは応募券２号の貼付欄、３ｄはバーコードである。バーコードには、複数のコード番号が記録されている。
【００１７】
応募者は、専用応募用紙ファイルを応募者端末１０にダウンロードし、取得した専用応募用紙ファイルのデータを、応募者端末１０に接続されたプリンタから出力する。これにより、図６に示した専用応募用紙を得ることができる。応募者は、この専用応募用紙のみを封筒に封入して、業者に送付する。業者では、郵送されてきた専用応募用紙のバーコードをバーコードリーダーで読み取ってコード番号を取得し、これが発行済みのコードであるかどうかを確認する。具体的には、発行番号ＤＢ２０にアクセス可能なＰＣ端末（図示省略）等に接続されたバーコードリーダーでコード番号を取得して、発行番号ＤＢ２０内に一致するコード番号が存在するかどうかを確認することになる。発行済みのコードであると確認された場合には、その応募者に対して商品の発送を行う。
【００１８】
商品の送付は、応募者ＤＢ３０に登録された情報に従って行われることになる。「クレジットカード決済」「プリペイトカード払い」の場合は、送付するだけであるが、「代金引換え」の場合は、送付時に配達人が代金を受け取ることになる。
【００１９】
（負担費用同封による応募）
図１に示した応募台紙を利用して、負担費用を同封して応募することも可能である。続いて、負担費用を同封して応募する場合について説明する。この場合、まず、図１（ａ）に示した応募台紙１の応募券貼付欄１ｂに、応募台紙２から切離した応募券２ａを貼り付けるか、図１（ｂ）に示した応募台紙２の応募券貼付欄２ｂに、応募台紙１から切離した応募券１ａを貼り付ける。そして、１枚の応募台紙に２つの応募券が印刷または貼付された状態で、その応募台紙とともに負担費用相当の切手を同封して業者に郵送する。
【００２０】
業者では、応募券が正当なものであることを確認するとともに、費用負担相当の切手が同封されていることを確認した後、その応募者に対して商品の発送を行う。
【００２１】
（店頭端末）
上記応募者端末１０は、応募者個人が利用する端末装置として説明したが、応募者端末１０に代えて店頭端末を利用しても良い。近年、コンビニエンスストア等の店頭には、さまざまなサービスの提供が可能な店頭端末が設置されており、プリンタも内蔵されている。このような店頭端末に、上記応募者端末と同等の機能を備えたソフトウェアを搭載すれば、上記図１に示したシステムと同様に機能する。この場合、プリンタを持っていない者であっても、店頭端末から専用応募用紙を出力することができる。
【００２２】
以上、本発明の好適な実施形態について説明したが、本発明は上記実施形態に限定されず、種々の変形が可能である。例えば、上記実施形態では、２つの号を購入することにより応募が可能となる場合について説明したが、３つ以上の号を購入することにより応募が可能となるようにしても良い。この場合、各号に図１に示したような応募台紙を綴じ込むことになるが、例えば、３つの号で応募を可能とする場合には、１つの応募台紙に１つの応募券を印刷しておくとともに、２つの応募券貼付欄を印刷しておく。
【００２３】
また、上記実施形態では、専用応募用紙を得るために、応募券に印刷されたコード番号を利用したが、このコード番号は、雑誌本体のどこかに印刷されていても良い。
【００２４】
また、雑誌等の本に限らず、食品の包装に応募券を印刷しておくことにより、食品等に適用することも可能である。
【図面の簡単な説明】
【００２５】
【図１】応募台紙の一例を示す図である。
【図２】銀ペーストを剥した際の応募券の状態を示す図である。
【図３】応募受付システムの一例を示す機能ブロック図である。
【図４】発行番号ＤＢ２０、応募者ＤＢ３０に記録された情報の一例を示す図である。
【図５】コード入力画面を示す図である。
【図６】専用応募用紙の一例を示す図である。
【符号の説明】
【００２６】
１、２・・・応募台紙
１ａ、２ａ・・・応募券
１ｂ、２ｂ・・・応募券貼付欄
１ｃ、２ｃ・・・銀ペースト
１ｄ、２ｄ・・・応募コード
３・・・専用応募用紙
１０・・・応募受付サーバ
２０・・・発行番号ＤＢ（データベース）
３０・・・応募者ＤＢ（データベース）
４０・・・応募者端末
５０・・・ネットワーク
【図１】
2005135038.tif 000003
【図２】
2005135038.tif 000004
【図３】
2005135038.tif 000005
【図４】
2005135038.tif 000006
【図５】
2005135038.tif 000007
【図６】
2005135038.tif 000008